(57)【要約】【課題】被投写面に書き込まれた手書き情報が被投写面に投写される画像の邪魔にならないようにすることができる技術を提供する。【解決手段】画像投写システムは、アプリケーションを実行するクライアントと、クライアントにおけるアプリケーションウィンドウ内のコンテンツを投写するプロジェクタと、書き込み可能かつスクロール可能なスクリーンを有し、投写されたコンテンツを表示すると共に、アプリケーションウィンドウにおけるスクロールに対応してスクリーンをスクロールするスクリーン装置と、アプリケーションウィンドウにおけるスクロール量をスクリーン装置に伝達する伝達手段と、を備えている。【選択図】図１
2010122275.tif 000002
【特許請求の範囲】
【請求項１】
画像投写システムであって、
アプリケーションを実行するクライアントと、
前記クライアントにおけるアプリケーションウィンドウ内のコンテンツを投写するプロジェクタと、
書き込み可能かつスクロール可能なスクリーンを有し、前記投写されたコンテンツを表示すると共に、前記アプリケーションウィンドウにおけるスクロールに対応して前記スクリーンをスクロールするスクリーン装置と、
前記アプリケーションウィンドウにおけるスクロール量を前記スクリーン装置に伝達する伝達手段と、
を備える、画像投写システム。
【請求項２】
請求項１に記載の画像投写システムにおいて、さらに、
前記スクリーンに書き込まれた手書き情報を、前記スクリーンがスクロールする際に消去する消去機構を備える、画像投写システム。
【請求項３】
請求項２に記載の画像投写システムにおいて、さらに、
前記手書き情報を読み取って手書き情報画像を得る読み取り機構と、
前記手書き情報画像と、前記手書き情報が前記スクリーンに書き込まれた際に前記スクリーンに表示されていたコンテンツである投写コンテンツと、を合成した画像である合成画像を生成する合成画像生成機構と、
を備え、
前記プロジェクタは、既に前記合成画像が生成されている前記投写コンテンツを再度投写する場合に、前記投写コンテンツに代えて、前記合成画像を投写する、画像投写システム。
【請求項４】
請求項２に記載の画像投写システムにおいて、さらに、
前記手書き情報を読み取って手書き情報画像を得る読み取り機構と、
前記手書き情報画像と、前記手書き情報が前記スクリーンに書き込まれた際に前記スクリーンに表示されていたコンテンツである投写コンテンツと、を合成した画像である合成画像を生成する合成画像生成機構と、
前記手書き情報画像と、前記投写コンテンツと、前記合成画像と、を互いに対応付けて記憶する記憶装置と、
を備え、
前記クライアントは、処理対象とする画像を、前記手書き情報画像と前記投写コンテンツと前記合成画像とから選択するためのユーザインタフェースを有する、画像投写システム。
【請求項５】
請求項３または請求項４に記載の画像投写システムにおいて、
前記合成画像生成機構は、前記合成画像を生成する際に、前記手書き情報画像の色を、前記投写コンテンツの色に応じて調整する、画像投写システム。
【請求項６】
請求項５に記載の画像投写システムにおいて、
前記合成画像生成機構は、前記合成画像を生成する際に、前記手書き情報画像の色を、前記投写コンテンツを特徴付ける特徴色の補色となるように調整する、画像投写システム。
【請求項７】
スクリーン装置であって、
書き込み可能かつスクロール可能なスクリーンであって、クライアントにおけるアプリケーションウィンドウ内のコンテンツをプロジェクタによって投写されると、前記コンテンツを表示するスクリーンと、
前記アプリケーションウィンドウにおけるスクロール量を受信するスクロール量受信部と、
前記アプリケーションウィンドウにおけるスクロールに対応して前記スクリーンをスクロールさせるスクロール制御部と、
を備える、スクリーン装置。
【請求項８】
アプリケーションを実行し、プロジェクタに対してアプリケーションウィンドウ内のコンテンツのデータを送信可能なクライアントであって、
前記スクリーンに書き込まれた手書き情報の画像である手書き情報画像を取得する手書き情報画像取得部と、
前記手書き情報画像と、前記手書き情報が前記スクリーンに書き込まれた際に前記スクリーンに表示されていたコンテンツである投写コンテンツと、を合成した画像である合成画像を生成する合成画像生成部と、
前記手書き情報画像と、前記投写コンテンツと、前記合成画像と、を互いに対応付けて記憶する記憶部と、
前記クライアントにおける処理対象とする画像を、前記手書き情報画像と前記投写コンテンツと前記合成画像とから選択するためのユーザインタフェースと、
を備えるクライアント。
【請求項９】
書き込み可能かつスクロール可能なスクリーンを有するスクリーン装置に対して画像を投写するプロジェクタであって、
アプリケーションを実行するクライアントから、前記クライアントにおけるアプリケーションウィンドウ内のコンテンツを受信するコンテンツ受信部と、
前記コンテンツを前記スクリーンに投写する投写部と、
前記スクリーン装置から、前記スクリーンに書き込まれた手書き情報の画像である手書き情報画像を取得する手書き情報画像取得部と、
前記手書き情報画像と、前記手書き情報が前記スクリーンに書き込まれた際に前記スクリーンに表示されていたコンテンツである投写コンテンツと、を合成した画像である合成画像を生成する合成画像生成部と、
前記手書き情報画像と、前記投写コンテンツと、前記合成画像と、を互いに対応付けて記憶する記憶部と、
を備える、プロジェクタ。
【発明の詳細な説明】
【技術分野】
【０００１】
本発明は、ホワイトボードなどの書き込み可能な被投写面に画像を投写する技術に関する。
【背景技術】
【０００２】
従来より、パーソナルコンピュータにおいてプレゼンテーションやワードプロセッサなどのアプリケーションを実行し、アプリケーションの表示画面をプロジェクタによって投写することが行われていた。また、ホワイトボードや黒板などの書き込み可能な被投写面に画像を投写する際には、投写された画像に合わせてペンやチョークなどを用いて文字や図形が書き込まれることがあった（例えば、特許文献１参照）。
【０００３】
【特許文献１】特開２００８−１４９６３号公報
【発明の開示】
【発明が解決しようとする課題】
【０００４】
投写する画像が複数ページにわたる場合には、ホワイトボード等に書き込まれた文字や図形（以下、「手書き情報」と呼ぶ）が、画像の表示の邪魔になる場合が起こり得る。例えば、１ページ目の画像を投写した際に書き込まれた手書き情報がホワイトボード等に残っていると、２ページ目の画像を投写する際に、画像と残存する手書き情報とが重なってしまい画像が見えづらくなる。そこで、ユーザは、ページが変わる度にホワイトボード等に書き込まれた手書き情報を消去しなければならず、非常に面倒な作業を強いられていた。
【０００５】
上述した投写する画像が複数ページにわたる場合とは、例えば、クライアントにおいてアプリケーションプログラムによって実行されるファイルが複数ページからなり、これらをページスクロール（ページジャンプ）して表示する場合が想定される。また、上記の問題は、ページ単位で投写する画像を変更する場合に限らず、例えば、ワードプロセッサ用アプリケーションにおいて行単位でページをスクロールする場合にも発生し得る。
【０００６】
本発明は、被投写面に書き込まれた手書き情報が被投写面に投写される画像の邪魔にならないようにすることができる技術を提供することを目的とする。
【課題を解決するための手段】
【０００７】
本発明は、上述の課題の少なくとも一部を解決するためになされたものであり、以下の形態又は適用例として実現することが可能である。
【０００８】
［適用例１］画像投写システムであって、アプリケーションを実行するクライアントと、前記クライアントにおけるアプリケーションウィンドウ内のコンテンツを投写するプロジェクタと、書き込み可能かつスクロール可能なスクリーンを有し、前記投写されたコンテンツを表示すると共に、前記アプリケーションウィンドウにおけるスクロールに対応して前記スクリーンをスクロールするスクリーン装置と、前記アプリケーションウィンドウにおけるスクロール量を前記スクリーン装置に伝達する伝達手段と、を備える、画像投写システム。
【０００９】
適用例１の画像投写システムでは、クライアントのアプリケーションウィンドウにおけるスクロールに対応してスクリーン装置のスクリーン（被投写面）がスクロールするので、スクロールに伴い新たなコンテンツがスクリーンに表示される際に、スクロール前にスクリーンに書き込まれた手書き情報が新たなコンテンツの表示の邪魔にならないようにすることができる。
【００１０】
［適用例２］適用例１に記載の画像投写システムにおいて、さらに、前記スクリーンに書き込まれた手書き情報を、前記スクリーンがスクロールする際に消去する消去機構を備える、画像投写システム。
【００１１】
このようにすることで、スクリーンがスクロールする際に消去機構によって手書き情報が消去されるので、スクリーンのうち手書き情報が書き込まれていた領域に再びコンテンツが投写される場合に、書き込まれた手書き情報がコンテンツの表示の邪魔にならないようにすることができる。
【００１２】
［適用例３］適用例２に記載の画像投写システムにおいて、さらに、前記手書き情報を読み取って手書き情報画像を得る読み取り機構と、前記手書き情報画像と、前記手書き情報が前記スクリーンに書き込まれた際に前記スクリーンに表示されていたコンテンツである投写コンテンツと、を合成した画像である合成画像を生成する合成画像生成機構と、を備え、前記プロジェクタは、既に前記合成画像が生成されている前記投写コンテンツを再度投写する場合に、前記投写コンテンツに代えて、前記合成画像を投写する、画像投写システム。
【００１３】
このようにすることで、手書き情報を消去した場合であっても、再度投写コンテンツを投写する際に手書き情報も合わせて投写することができ、ユーザは、以前にコンテンツを投写した際に書き込んだ手書き情報を確認することができる。
【００１４】
［適用例４］適用例２に記載の画像投写システムにおいて、さらに、前記手書き情報を読み取って手書き情報画像を得る読み取り機構と、前記手書き情報画像と、前記手書き情報が前記スクリーンに書き込まれた際に前記スクリーンに表示されていたコンテンツである投写コンテンツと、を合成した画像である合成画像を生成する合成画像生成機構と、前記手書き情報画像と、前記投写コンテンツと、前記合成画像と、を互いに対応付けて記憶する記憶装置と、を備え、前記クライアントは、処理対象とする画像を、前記手書き情報画像と前記投写コンテンツと前記合成画像とから選択するためのユーザインタフェースを有する、画像投写システム。
【００１５】
このようにすることで、ユーザは、手書き情報と、投写コンテンツと、合成画像との中から、所望する画像をクライアントにおける処理対象とすることができる。したがって、例えば、プレゼンテーションの後において、書き込んだ手書き情報のみを事後的にプロジェクタを用いて投写する、といった利用方法を実現できる。
【００１６】
［適用例５］適用例３または適用例４に記載の画像投写システムにおいて、前記合成画像生成機構は、前記合成画像を生成する際に、前記手書き情報画像の色を、前記投写コンテンツの色に応じて調整する、画像投写システム。
【００１７】
このようにすることで、合成画像を投写する場合において、投写コンテンツに対して手書き情報を目立たせたり、手書き情報を目立たなくさせたりすることができる。
【００１８】
［適用例６］適用例５に記載の画像投写システムにおいて、前記合成画像生成機構は、前記合成画像を生成する際に、前記手書き情報画像の色を、前記投写コンテンツを特徴付ける特徴色の補色となるように調整する、画像投写システム。
【００１９】
このようにすることで、合成画像を投写する場合において、投写コンテンツに対して手書き情報を非常に目立たせることができる。
【００２０】
［適用例７］スクリーン装置であって、書き込み可能かつスクロール可能なスクリーンであって、クライアントにおけるアプリケーションウィンドウ内のコンテンツをプロジェクタによって投写されると、前記コンテンツを表示するスクリーンと、前記アプリケーションウィンドウにおけるスクロール量を受信するスクロール量受信部と、前記アプリケーションウィンドウにおけるスクロールに対応して前記スクリーンをスクロールさせるスクロール制御部と、を備える、スクリーン装置。
【００２１】
適用例７のスクリーン装置は、クライアントのアプリケーションウィンドウにおけるスクロール量に対応してスクリーン（被投写面）をスクロールするので、スクロールに伴い新たなコンテンツがスクリーンに表示される際に、スクロール前にスクリーンに書き込まれた手書き情報が新たなコンテンツの表示の邪魔にならないようにすることができる。
【００２２】
［適用例８］アプリケーションを実行し、プロジェクタに対してアプリケーションウィンドウ内のコンテンツのデータを送信可能なクライアントであって、前記スクリーンに書き込まれた手書き情報の画像である手書き情報画像を取得する手書き情報画像取得部と、前記手書き情報画像と、前記手書き情報が前記スクリーンに書き込まれた際に前記スクリーンに表示されていたコンテンツである投写コンテンツと、を合成した画像である合成画像を生成する合成画像生成部と、前記手書き情報画像と、前記投写コンテンツと、前記合成画像と、を互いに対応付けて記憶する記憶部と、前記クライアントにおける処理対象とする画像を、前記手書き情報画像と前記投写コンテンツと前記合成画像とから選択するためのユーザインタフェースと、を備えるクライアント。
【００２３】
適用例８のクライアントでは、手書き情報と、投写コンテンツと、合成画像とが互いに対応付けられて記憶されており、かつ、クライアントにおいて処理対象とする画像をこれらの画像から選択するためのユーザインタフェースを備えるので、ユーザは、手書き情報と、投写コンテンツと、合成画像との中から、所望する画像を投写させることができる。したがって、例えば、プレゼンテーションの後において、書き込んだ手書き情報のみを事後的にプロジェクタを用いて投写する、といった利用方法を実現できる。
【００２４】
［適用例９］書き込み可能かつスクロール可能なスクリーンを有するスクリーン装置に対して画像を投写するプロジェクタであって、アプリケーションを実行するクライアントから、前記クライアントにおけるアプリケーションウィンドウ内のコンテンツを受信するコンテンツ受信部と、前記コンテンツを前記スクリーンに投写する投写部と、前記スクリーン装置から、前記スクリーンに書き込まれた手書き情報の画像である手書き情報画像を取得する手書き情報画像取得部と、前記手書き情報画像と、前記手書き情報が前記スクリーンに書き込まれた際に前記スクリーンに表示されていたコンテンツである投写コンテンツと、を合成した画像である合成画像を生成する合成画像生成部と、前記手書き情報画像と、前記投写コンテンツと、前記合成画像と、を互いに対応付けて記憶する記憶部と、を備える、プロジェクタ。
【００２５】
適用例９のプロジェクタでは、手書き情報と、投写コンテンツと、合成画像とが互いに対応付けられて記憶されているので、クライアントからの指示に従い、これらの画像の中から指定された画像を投写することができる。したがって、例えば、ユーザは、プレゼンテーションの後において、クライアントから手書き情報のみを投写指示することによって、書き込んだ手書き情報のみを事後的に投写して確認する、といった利用が可能となる。
【発明を実施するための最良の形態】
【００２６】
Ａ．第１の実施例：
Ａ１．システム構成：
図１は、本発明の一実施例としての画像投写システムの概略構成を示す説明図である。この画像投写システム５００は、スクリーン装置１０と、プロジェクタ１００と、クライアントとしてのパーソナルコンピュータ３００とを備えている。これらのうち、スクリーン装置１０とプロジェクタ１００とは一体構成となっている。なお、スクリーン装置１０とプロジェクタ１００とを別体構成とすることもできる。
【００２７】
スクリーン装置１０は、上部スクリーン固定部１２と、下部スクリーン固定部１４と、スクリーンＳｃとを備えている。上部スクリーン固定部１２と下部スクリーン固定部１４とは、互いに垂直方向に所定の距離だけ離れて壁面１０１に固定されている。スクリーンＳｃは、これら上部スクリーン固定部１２と下部スクリーン固定部１４との間に配置され、壁面１０１と平行な被投写面を形成している。スクリーンＳｃは、上下のいずれの方向にもスクロール可能であり、一般的なホワイトボードと同様にペン等で書き込み可能な無端状のシート部材で形成されている。
【００２８】
プロジェクタ１００は、壁面設置型のプロジェクタであり、本体部２０と固定部９５とを備えている。固定部９５は壁面１０１に固定されており、本体部２０は固定部９５に回転自在に取り付けられている。具体的には、本体部２０は、固定部９５を軸として図示しない床面（天井面）と平行に０度から１８０度までの範囲で任意に回転することができる。図１の例では、本体部２０は、本体部２０の長手方向が壁面１０１と垂直となる位置に配置されている。かかる位置に配置されたプロジェクタ１００は、斜め下方に向けて画像光を射出し、スクリーンＳｃ（被投写面）に画像を投写する。
【００２９】
本体部２０の回転はユーザが手動で行うことができる。なお、本体部２０を回転させるためのアクチュエータをプロジェクタ１００が備える構成とし、パーソナルコンピュータ３００からアクチュエータに回転指示を与えることによっても本体部２０の回転を実現できる。本実施例において、本体部２０は、本体部２０が回動して長手方向が壁面１０１と垂直な位置に配置されているとき（すなわち、図１の状態）に電源がオンとなり、他の位置では電源がオフとなる。したがって、本体部２０が画像を投写する際の、本体部２０とスクリーンＳｃとの位置関係は一定である。このとき、プロジェクタ１００はスクリーンＳｃに対して斜め上方から投写するので、プロジェクタ１００は、予めキーストーン歪みが発生しないように画像調整して投写する構成となっている。また、投写される画像のスクリーンＳｃ内における位置及び大きさは固定されている。図１の例では、投写画像の縦の長さはＬ２であり、スクリーンＳｃの上端から長さＬ１だけ下の位置が投写画像の上端となり、スクリーンＳｃの下端から長さＬ１だけ上の位置が投写画像の下端となっている。ここで、長さＬ２は、スクリーンＳｃの全周の１／４の長さに相当する。なお、本体部２０が回転可能な範囲のいずれの位置に配置されている場合においても電源をオンとする構成を採用することもできる。
【００３０】
パーソナルコンピュータ３００は、プロジェクタ１００（本体部２０）との間で無線ＬＡＮ（Local Area Network）を介した通信が可能である。無線ＬＡＮとしては、例えば、ＩＥＥＥ（Institute of Electrical and Electronics Engineers）８０２．１１ｂ規格に準拠した無線ＬＡＮや、Ｂｌｕｅｔｏｏｔｈ（登録商標）などを用いることができる。なお、無線ＬＡＮに代えて、ＩｒＤＡ規格に準拠した赤外線通信を採用することもできる。また、無線に代えて、ＩＥＥＥ８０２．３規格に準拠した有線ＬＡＮを採用することもできる。パーソナルコンピュータ３００では、プレゼンテーション用アプリケーションプログラムが実行され得る。
【００３１】
画像投写システム５００では、パーソナルコンピュータ３００においてプレゼンテーション用アプリケーションが実行された際に、アプリケーションウィンドウＷ１に表示される画像（コンテンツ）をプロジェクタ１００によってスクリーンＳｃに投写するように構成されている。
【００３２】
図２は、図１に示すプロジェクタ１００及びスクリーン装置１０の詳細構成を示す説明図である。プロジェクタ１００において、本体部２０は、ＣＰＵ３２と、ＲＡＭ３４と、ＲＯＭ３５と、無線通信制御部３６と、入出力インタフェース（Ｉ／Ｆ）部３７と、画像処理部３８と、液晶パネル駆動部３９と、照明光学系４２と、液晶パネル４３と、投写光学系４４と、投写ミラー４５と、画像光射出口４６とを備えている。
【００３３】
ＣＰＵ３２は、ＲＯＭ３５に記憶されている制御用プログラムを実行することにより、投写制御部３３として機能する。無線通信制御部３６は、電波の送受信機やアンテナ等（図示省略）を備え、パーソナルコンピュータ３００（図１）との間における無線ＬＡＮ通信を実行し、パーソナルコンピュータ３００から送信されるコンテンツデータをＲＡＭ３４に格納する。入出力Ｉ／Ｆ部３７は、投写制御部３３と上部スクリーン固定部１２との間の通信を実現するためのインタフェース群からなる。なお、プロジェクタ１００と上部スクリーン固定部１２との間は有線接続されているが、これに代えて、無線接続とすることもできる。この場合、プロジェクタ１００とスクリーン装置１０とを互いに別体構成とすることができる。画像処理部３８は、投写制御部３３からの指示に従い、ＲＡＭ３４に格納されているコンテンツデータに基づき、液晶パネル４３に合せた解像度変換や、明るさやコントラスト等の調整を行う。液晶パネル駆動部３９は、画像処理部３８によって処理された後の画像データに基づき液晶パネル４３を駆動する。
【００３４】
照明光学系４２は、光源ランプやリフレクタ等（図示省略）を備えており、照明光を液晶パネル４３に射出する。液晶パネル４３は、液晶パネル駆動部３９から入力する信号に基づいて照明光を変調して画像光を生成する。なお、液晶パネル４３に限らず、任意の光変調素子を用いることができ、例えば、ＤＭＤ（Digital Micromirror Device：登録商標）を用いることもできる。投写光学系４４は、図示しない投写レンズを備えており画像光を射出する。投写ミラー４５は、投写光学系４４から射出された画像光を、画像光射出口４６を通ってスクリーンＳｃに向かうように偏向する。
【００３５】
上部スクリーン固定部１２は、上部プーリ５２と、モータ５３と、駆動制御部５４と、を備えている。また、下部スクリーン固定部１４は、下部プーリ６２を備えている。２つのプーリ５２，５４は、対となってスクリーンＳｃを所定の張力で保持すると共に、スクリーンＳｃをスクロールさせる際の軸として機能する。モータ５３は、上部プーリ５２を回転させる。なお、下部プーリ６２自身はモータによって駆動されず、スクリーンＳｃのスクロールに従って回転する。駆動制御部５４は、前述の入出力Ｉ／Ｆ部３７と接続されており、投写制御部３３からの指示に従いモータ５３の駆動を制御する。
【００３６】
ここで、スクリーンＳｃは、被投写面（投写画像を表示するエリア）として４つの面を有する。具体的には、スクリーンＳｃの全周の長さは投写画像の縦の長さＬ２の４倍となっており、スクリーンＳｃは、１回のスクロールで全周の１／４だけ移動（回転）することにより投写画像を表示するエリアとして４つのエリアを有する。なお、以下においては、これら４つのエリアを第１被投写面〜第４被投写面と呼ぶ。
【００３７】
図３は、図１に示すパーソナルコンピュータ３００の内部構成を示す説明図である。このパーソナルコンピュータ３００は、ＣＰＵ３１０と、ＲＡＭ３４０と、ＲＯＭ３４５と、ハードディスクドライブ３２０と、入出力インタフェース部３３０と、キーボード３３２と、表示制御部３５０と、液晶ディスプレイ３５２と、無線通信処理部３６０と、を備えている。
【００３８】
ＲＯＭ３４５には、プレゼンテーション用アプリケーションプログラム及び投写制御用プログラムが記憶されている。ＣＰＵ３１０は、ＲＡＭ３４０にロードされたプレゼンテーション用アプリケーションプログラムを実行することにより、アプリケーション実行部３１１として機能する。同様に、ＣＰＵ３１０は、投写制御用のプログラムを実行することにより、投写画像制御部３１２及びスクロール量送信部３１３として機能する。ハードディスクドライブ３２０には、予め、プレゼンテーション用アプリケーションにより実行されるプレゼンテーションファイル３２２が記憶されている。
【００３９】
図４は、図３に示すプレゼンテーションファイル３２２の内容（コンテンツ）を示す説明図である。このプレゼンテーションファイル３２２は、３ページからなり、各ページはそれぞれ１つの画像を構成している。具体的には、１ページ目はデジタルカメラが表わされた画像ｆ１であり、２ページ目は自転車が表わされた画像ｆ２であり、３ページ目は人物が表された画像ｆ３である。なお、プレゼンテーションファイル３２２のページ数としては、３ページに限らず４ページ以内の任意の数のページ数とすることができる。
【００４０】
図３に戻って、入出力インタフェース部３３０は、キーボード３３２や図示しないポインティングデバイスからの入力データを、内部バスを介してＣＰＵ３１０に伝える。表示制御部３５０は、フレームメモリとして用いられるＶＲＡＭ（図示省略）を備えており、液晶ディスプレイ３５２に画像信号を送信する。無線通信処理部３６０は、電波の送受信機やアンテナ等（図示省略）を備え、無線ＬＡＮを介したデータの送受信を行う。
【００４１】
ユーザがプレゼンテーションファイル３２２を指定してプレゼンテーション用アプリケーションを実行すると、アプリケーション実行部３１１は、アプリケーションウィンドウ内にプレゼンテーションファイル３２２の１ページ目の画像ｆ１（図４）を表示したイメージデータを表示制御部３５０（ＶＲＡＭ）に書き込む。表示制御部３５０は、ＶＲＡＭ（図示省略）に書き込まれたイメージデータに基づいて、画像信号を生成して液晶ディスプレイ３５２に出力する。図１の例では、液晶ディスプレイ３５２にアプリケーションウィンドウＷ１が表示され、このアプリケーションウィンドウＷ１内に画像ｆ１（図４）が表示されている。
【００４２】
このアプリケーションウィンドウＷ１は、ページスクロール用の２つのボタンＢｕ，Ｂｄを備えている。ボタンＢｕはスクロールアップ用のボタンであり、１回押下する度に表示されているページが１ページ戻ることとなる。ボタンＢｄはスクロールダウン用のボタンであり、１回押下する度に表示されているページが１ページ進むこととなる。なお、これらのボタンＢｕ，Ｂｄが押下されると、アプリケーション実行部３１１は、スクロール後のページに対応する画像を表示制御部３５０内のＶＲＡＭ（図示省略）に書き込む。
【００４３】
ユーザがメニュー画面（図示省略）から画像投写メニューを選択すると、投写画像制御部３１２は、アプリケーション実行部３１１が表示制御部３５０にイメージデータを書き込むのと合わせて、アプリケーションウィンドウＷ１に表示されているページの画像データをＲＡＭ３４０に書き込む。投写画像制御部３１２は、ＲＡＭ３４０に書き込んだイメージデータを、無線通信処理部３６０を制御してプロジェクタ１００に送信する。すると、上述したように、プロジェクタ１００では、無線ＬＡＮを介して受け取ったイメージデータをスクリーンＳｃに投写する。その結果、図１に示すように、プレゼンテーションファイル３２２の１ページ面の画像ｆ１がスクリーンＳｃに投写される。なお、上述したページスクロール用のボタンＢｕ，Ｂｄが押下されると、投写画像制御部３１２は、スクロール後のページに対応する画像をＲＡＭ３４０に書き込む。したがって、プロジェクタ１００は、スクロール後のページに対応する画像をスクリーンＳｃに投写することとなる。
【００４４】
以上の構成を有する画像投写システム５００では、後述のスクロール処理を実行することにより、ユーザがペンを用いて文字や図形（以下「手書き情報」と呼ぶ）をスクリーンＳｃに書き込んだ後にパーソナルコンピュータ３００においてスクロールした場合でも、書き込んだ手書き情報がスクロール後の投写画像の邪魔をしないように構成されている。
【００４５】
なお、前述の無線通信制御部３６と入出力Ｉ／Ｆ部３７と無線通信処理部３６０とは、請求項における伝達手段に相当する。また、投写制御部３３は請求項におけるスクロール量受信部及びコンテンツ受信部に、駆動制御部５４は請求項におけるスクロール制御部に、液晶パネル駆動部３９と照明光学系４２と液晶パネル４３と投写光学系４４と投写ミラー４５とは請求項における投写部に、それぞれ相当する。
【００４６】
Ａ２．スクロール処理：
図５は、画像投写システム５００において実行されるスクロール処理の手順を示すフローチャートである。図５において、左はスクリーン装置１０における処理フローを示し、中央はプロジェクタ１００における処理フローを示し、右はパーソナルコンピュータ３００における処理フローを示す。スクリーン装置１０及びプロジェクタ１００では、それぞれ電源がオンとなると、スクロール処理が開始される。パーソナルコンピュータ３００では、ユーザが画像投写メニュー（図示省略）を選択すると、スクロール処理が開始される。
【００４７】
パーソナルコンピュータ３００（図３）において、スクロール量送信部３１３は、アプリケーション実行部３１１によってページスクロールがされたか否かを監視する（ステップＳ１０５）。そして、スクロールがあった場合には、スクロール量送信部３１３は、アプリケーション実行部３１１からスクロール量を取得して、無線通信処理部３６０を介してプロジェクタ１００に送信する（ステップＳ１１０）。
【００４８】
プロジェクタ１００（図２）において、投写制御部３３は、パーソナルコンピュータ３００からスクロール量を受信したか否かを監視する（ステップＳ２０５）。投写制御部３３は、スクロール量を受信すると、受信したスクロール量に基づき、スクロール量を指定したスクロール指示をスクリーンＳｃに送信する（ステップＳ２１０）。
【００４９】
ステップＳ２１０において指定するスクロール量は、以下のように予め設定されている。すなわち、アプリケーションウィンドウＷ１におけるスクロール量がｎ（ｎ＝１〜３）ページダウンの場合には、スクロール量として「ｎ／４周（長さＬ２）スクロールアップ」が設定されている。また、アプリケーションウィンドウＷ１におけるスクロール量がｎ（ｎ＝１〜３）ページアップの場合には、スクロール量として「ｎ／４周（長さＬ２）スクロールダウン」が設定されている。
【００５０】
スクリーン装置１０（図２）において、駆動制御部５４は、プロジェクタ１００からスクロール指示を受信したか否かを監視する（ステップＳ３０５）。駆動制御部５４は、スクロール指示を受信すると、受信したスクロール指示において指定されたスクロール量だけモータ５３を駆動してスクリーンＳｃをスクロールさせる。
【００５１】
パーソナルコンピュータ３００において、投写画像制御部３１２は、前述のステップＳ１１０の後において、スクロール後の画像データをプロジェクタ１００に対して送信し（ステップＳ１１５）、再びステップＳ１０５に戻る。
【００５２】
プロジェクタ１００において、投写制御部３３は、前述のステップＳ２１０の後において、パーソナルコンピュータ３００から受信した画像データに基づき、スクロール後の新たなページの画像をスクリーンＳｃに投写する（ステップＳ２１５）。このとき、スクリーン装置１０では、前述のステップＳ３１０の処理によって、スクリーンＳｃがスクロールしているので、スクロール後の新たな被投写面にスクロール後の画像が投写されることとなる。なお、プロジェクタ１００において、投写制御部３３は、ステップＳ２１５を実行した後には、再びステップＳ２０５に戻る。また、スクリーン装置１０において、駆動制御部５４は、ステップＳ３１０を実行した後には、再びステップＳ３０５に戻る。
【００５３】
図６は、スクロール処理を実行する際にスクリーンＳｃに投写される画像の一例を示す説明図である。まず、図６上段に示すように、スクリーンＳｃの第１被投写面に画像ｆ１が表示されている状態において、ユーザがペンで手書き情報Ｇ１を書き込んだ。この状態において、ユーザがキーボード３３２（図３）を操作して、アプリケーションウィンドウＷ１におけるスクロールダウン用のボタンＢｄを１回押下した場合、中段に示す状態となる。
【００５４】
具体的には、ボタンＢｄが１回押下されるので、アプリケーションウィンドウＷ１においては、１ページ分だけスクロールダウンする。したがって、パーソナルコンピュータ３００からプロジェクタ１００に対してスクロール量（１ページダウン）が送信される。また、プロジェクタ１００からスクリーン装置１０に対し、この１ページダウンに対応するスクロール量（１／４周アップ）を指定したスクロール指示がされる。それゆえ、スクリーン装置１０では、スクリーンＳｃが１／４周（長さＬ２）だけスクロールアップして第２被投写面が被投写面となる。そして、パーソナルコンピュータ３００からプロジェクタ１００に対して、２ページ目の画像ｆ２（図４）の画像データが送信されるので、第２被投写面に画像ｆ２が表示され、図６中段に示す状態となる。
【００５５】
このとき、第１被投写面に書き込まれた手書き情報Ｇ１（図６上段）は、スクリーンＳｃと共にスクロールするので、画像ｆ２を投写する際の第２被投写面には何も書き込まれていない。したがって、手書き情報Ｇ１は、第２被投写面における画像ｆ２の表示の邪魔をしないこととなる。なお、図６中段の状態においては、新たな手書き情報Ｇ２がユーザによって書き込まれている。
【００５６】
その後、ユーザが、アプリケーションウィンドウＷ１におけるスクロールアップ用のボタンＢｕを１回押下すると、スクリーンＳｃは、１／４周（長さＬ２）分スクロールダウンして再び第１被投写面が被投写面となる。また、プロジェクタ１００は、画像ｆ１を投写する。したがって、図６下段に示すように、再び第１被投写面に画像ｆ１が表示される。このとき、図６上段において書き込まれた手書き情報Ｇ１が再び被投写面に現れるので、ユーザは、指定した画像ｆ１を確認することができると共に、先ほど書き込んだ手書き情報も合わせて確認することができる。
【００５７】
以上説明したように、画像投写システム５００では、アプリケーションウィンドウＷ１におけるスクロールに対応してスクリーンＳｃがスクロールするので、スクリーンＳｃの投写面に書き込まれた手書き情報がスクロール後の画像を投写する際に邪魔にならない。また、アプリケーションウィンドウＷ１におけるスクロール量に応じてスクリーンＳｃがスクロールするので、同じ画像を投写する際に同じ投写面を用いることができる。したがって、同じ画像を再度投写させる際に、以前に書き込んだ手書き情報を画像と合わせて表示させることができる。また、プロジェクタ１００及びスクリーン装置１０は、壁面設置型であり、投写条件も固定されている。したがって、ユーザは、画像を投写してプレゼンテーションを行う際に面倒な設定作業を行う必要がない。また、プロジェクタ１００は、本体部２０が回転可能であるので、使用しない際に長手方向が壁面１０１と平行になるように配置することによって、本体部２０がユーザの通行の邪魔となることを抑制できる。
【００５８】
Ｂ．第２の実施例：
図７は、第２の実施例におけるプロジェクタ１００及びスクリーン装置１０ａの詳細構成を示す説明図である。図８は、第２の実施例におけるパーソナルコンピュータ３００ａの詳細構成を示す説明図である。第２の実施例の画像投写システムは、以下の４点において、画像投写システム５００（図１〜図４）と異なり、他の構成は第１の実施例と同じである。すなわち、スクリーン装置１０ａ（図７）において、上部スクリーン固定部１２ａは、読み取り部５６及びイレーザ５５を備えている点と、スクリーンＳｃは、投写画像を表示するエリアとして、２つのエリア（第１，２被投写面）を有している点と、パーソナルコンピュータ３００ａ（図８）において、ＣＰＵ３１０は、上述した各機能部に加えて、コンテンツ管理部３１４及びユーザインタフェース（ＵＩ）制御部３１５として機能する点と、ＲＡＭ３４０は、コンテンツ格納部３４２を備えている点と、が画像投写システム５００との相違点である。
【００５９】
読み取り部５６（図７）は、所定の画素密度でスクリーンＳｃの幅方向（Ｘ方向）に配列された受光素子を有するＣＣＤ（Charge Coupled Devices）（図示省略）と、各受光素子に対応するレンズ（図示省略）と、Ｒ，Ｇ，Ｂの各色の光で原稿面を照射する露光ランプ（図示省略）と、を備えている。読み取り部５６は、スクリーンＳｃがスクロールする際に、スクリーンＳｃに書き込まれた手書き情報を読み取って読み取り信号を駆動制御部５４に送信する。駆動制御部５４は、読み取り部５６から受信した読み取り信号を、入出力Ｉ／Ｆ部３７介して投写制御部３３に送信する。イレーザ５５は、スクリーンＳｃと同じ幅（Ｘ方向の長さ）を有し、スクリーンＳｃに接して配置されている。イレーザ５５は、スクリーンＳｃがスクロールする際にスクリーンＳｃに書き込まれた手書き情報を消去する。
【００６０】
なお、本実施例において、読み取り部５６は、請求項における読み取り機構に相当する。また、イレーザ５５は請求項における消去機構に、投写画像制御部３１２は請求項における手書き情報画像取得部及び合成画像生成機構に、ＲＡＭ３４０（図８）は請求項における記憶装置及び記憶部に、それぞれ相当する。
【００６１】
第２の実施例における画像投写システムは、スクリーンＳｃを読み取って画像ファイルとして管理する。このとき、読み取り画像ファイルと、投写画像の画像ファイルと、読み取り画像と投写画像との合成画像の画像ファイルとを、互いに対応付けて管理する。そして、第２の実施例における画像投写システムでは、ユーザは、これらの画像ファイルの中から投写する画像を指定することができる。
【００６２】
図９は、第２の実施例におけるスクロール処理の手順を示すフローチャートである。パーソナルコンピュータ３００ａにおいてスクロール処理が開始されると、上述したステップＳ１０５，Ｓ１１０が実行される。また、プロジェクタ１００において上述したステップＳ２０５，Ｓ２１０が、スクリーン装置１０ａにおいて上述したステップＳ３０５，Ｓ３１０が、それぞれ実行される。なお、ステップＳ２１０において指定するスクロール量は、第１の実施例とは異なる。具体的には、例えば、アプリケーションウィンドウＷ１において１ページ分スクロールした場合には「１／２周スクロールアップ」を指定する。このとき、アプリケーションウィンドウＷ１におけるスクロールが、スクロールアップとスクロールダウンとのいずれであっても、「１／２周スクロールアップ」を指定する。
【００６３】
スクリーン装置１０ａにおいて、読み取り部５６は、ステップＳ３１０が実行（開始）されると、スクリーンＳｃがスクロールする際に、画像が投写されたエリア（第１被投写面又は第２被投写面）についてスキャンし、イレーザ５５は、スクリーンＳｃに書き込まれた手書き情報を消去する（ステップＳ３１５）。駆動制御部５４は、ステップＳ３１５において得られた読み取り画像の画像データを、入出力Ｉ／Ｆ部３７を介して投写制御部３３に送信する（ステップＳ３２０）。
【００６４】
パーソナルコンピュータ３００ａにおいて、投写画像制御部３１２は、アプリケーションウィンドウＷ１におけるスクロール量を送信した後（ステップＳ１１０の後）、スクロール後に表示する画像（ページ）について合成画像が作成されているか否かを判定する（ステップＳ１１２）。合成画像とは、前述のステップＳ３１５において得られた読み取り画像と、投写画像との合成画像である。
【００６５】
合成画像が作成されている場合には、投写画像制御部３１２（図８）は、合成画像の画像データをプロジェクタ１００に送信する（ステップＳ１１５ｂ）。一方、合成画像が作成されていない場合には、投写画像制御部３１２は、スクロール後のページの画像データをプロジェクタ１００に送信する（ステップＳ１１５ａ）。
【００６６】
プロジェクタ１００において、投写制御部３３（図７）は、パーソナルコンピュータ３００ａから画像データを受信すると、受信した画像データに基づき画像をスクリーンＳｃに投写する（ステップＳ２２０）。したがって、スクリーンＳｃには、合成画像（ステップＳ１１５ｂ実行の場合）又はスクロール後のページの画像（ステップＳ１１５ａ実行の場合）が投写される。
【００６７】
投写制御部３３は、画像投写を行いながら、スクリーン装置１０ａから読み取り画像データを受信するか否かを監視している（ステップＳ２２５）。投写制御部３３は、スクリーン装置１０ａ（駆動制御部５４）から読み取り画像データを受信すると、受信した読み取り画像データをパーソナルコンピュータ３００ａに送信する（ステップＳ２３０）。
【００６８】
パーソナルコンピュータ３００ａにおいて、投写画像制御部３１２は、前述のステップＳ１１５ａ又はステップＳ１１５ｂを実行した後、プロジェクタ１００から読み取り画像データを受信するか否かを監視している（ステップＳ１２０）。投写画像制御部３１２は、プロジェクタ１００から読み取り画像データを受信すると、読み取り画像と投写した画像との合成画像を生成する（ステップＳ１２５）。コンテンツ管理部３１４は、読み取り画像データと、合成画像の画像データとを、投写した画像（コンテンツ）の画像データに対応付けてコンテンツ格納部３４２（図８）に保存する（ステップＳ１３０）。なお、既に読み取り画像データがコンテンツ格納部３４２に保存されている場合には、新たに受信した読み取り画像データが上書き保存される。また、既に合成画像が生成されてコンテンツ格納部３４２に保存されている場合には、新たに生成された合成画像が上書き保存される。
【００６９】
図１０は、コンテンツ格納部３４２における画像データの格納例を模式的に示す説明図である。図１０において、左の列は、プレゼンテーションファイル３２２の内容を示しており、図４と同じである。また、中央の列は読み取り画像データ（ファイル）の内容を、右の列は合成画像の画像データ（ファイル）の内容を、それぞれ示している。
【００７０】
図１０の例では、読み取り画像データとして、２つの画像ｆ１１，ｆ２１のデータが格納されている。また、合成画像データとして、２つの画像ｆ１２，２２のデータが格納されている。画像ｆ１１は、画像ｆ１が投写された際の被投写面をスキャンして得られた画像であり、手書き情報の画像が含まれている。画像ｆ１２は、画像ｆ１と画像ｆ１１との合成画像である。同様に、画像ｆ２１は、画像ｆ２が投写された際の被投写面をスキャンして得られた画像であり、手書情報の画像が含まれている。画像ｆ２２は、画像ｆ２と画像ｆ２１との合成画像である。なお、図１０の例では、プレゼンテーションファイルの３ページ目の画像ｆ３に対応する読み取り画像及び合成画像がない。これは、３ページ目の画像ｆ３が１度も投写されていない、または、投写された状態で他のページにスクロールされていないことを意味している。
【００７１】
ここで、プレゼンテーションファイルの各ページの画像と、読み取り画像データ（ファイル）と、合成画像データ（ファイル）とは、互いに対応付けられて格納されている。具体的には、読み取り画像データのファイル名は、「プレゼンテーションファイルのファイル名＋ページ番号＋ｓｆ」として命名されている。また、合成画像データのファイル名は、「プレゼンテーションファイルのファイル名＋ページ番号＋ｃｆ」として命名されている。なお、ファイル名を利用することに代えて、同じフォルダ内に格納することにより、プレゼンテーションファイルの各ページの画像と、読み取り画像データと、合成画像データとを、互いに対応付けて格納することもできる。
【００７２】
図１１は、第２の実施例におけるスクロール処理を実行する際にスクリーンＳｃに投写される画像の一例を示す説明図である。スクリーンＳｃの第１被投写面に画像ｆ１が表示され、手書き情報Ｇ１が書き込まれた状態（図１１上段）において、ユーザが、アプリケーションウィンドウＷ１におけるスクロールダウン用のボタンＢｄを１回押下した場合、中段に示す状態となる。上段から中段に移行する間に、第１被投写面はスキャンされ、読み取り画像ｆ１１（図１０）及び合成画像ｆ１２の画像データが、画像ｆ１と対応付けられてコンテンツ格納部３４２に格納される。また、第１被投写面に書き込まれた手書き情報Ｇ１は、イレーザ５５によって消去される。
【００７３】
図１１中段の状態において、ユーザがアプリケーションウィンドウＷ１におけるスクロールアップ用のボタンＢｕを１回押下した場合、図１１下段に示す状態となる。図１１中段から下段に移行する間に、第２被投写面はスキャンされ、読み取り画像データｆ２１（図１０）及び合成画像データｆ２２が、画像ｆ２と対応付けられてコンテンツ格納部３４２に格納される。また、第２被投写面に書き込まれた手書き情報Ｇ２は、イレーザ５５によって消去される。
【００７４】
図１１下段の状態においては、第１被投写面に合成画像ｆ１２が投写される。これは、再度投写する１ページ目の画像ｆ１については、図１１上段から中段に移行する際に既に合成画像が作成されているからである（図９ステップＳ１１２，Ｓ１１５ｂ参照）。ここで、図１１上段から中段に移行する間に手書きの手書き情報Ｇ１は消去されているが、合成画像ｆ１２は、読み取り画像ｆ１１の内容が含まれているので、手書き情報Ｇ１も画像として投写されることとなる。したがって、ユーザは、画像ｆ１と共に、書き込まれた手書き情報Ｇ１も合わせて確認することができる。
【００７５】
以上のスクロール処理により、コンテンツ格納部３４２内には、プレゼンテーションファイルの各ページの画像と、読み取り画像と、合成画像とが、互いに対応付けられて格納されることとなる。その結果、ユーザは、このようにして格納された各画像のうち、所望する画像を投写したり、液晶ディスプレイ３５２に表示させたり、パーソナルコンピュータ３００ａにプリンタ（図示省略）を接続して印刷するといった処理を行い得る。したがって、例えば、プレゼンテーションを行った際に書き込んだ書き込み情報のみを投写する、又は印刷して参加者に配布するといったことが可能となる。このような処理を行う場合、ユーザは、プレゼンテーションファイル名を指定して、上述したプレゼンテーション用アプリケーションとは異なるアプリケーション（格納画像処理用アプリケーション）を起動する。
【００７６】
図１２（Ａ）は、画像選択メニュー画面を示す説明図である。格納画像処理用アプリケーションが起動されると、ＵＩ制御部３１５（図８）は、処理対象とする画像を選択するためのメニュー画面（画像選択メニュー画面Ｗ２）を液晶ディスプレイ３５２に表示させる。この画像選択メニュー画面Ｗ２は、指定されたプレゼンテーションファイルの各ページの画像を示すアイコンｆ５１〜ｆ５３と、決定ボタンＢ１と、終了ボタンＢ２とを備えている。図１２（Ａ）の例では、１ページ目の画像ｆ１を示すアイコンｆ５１がアクティブとなっている。
【００７７】
図１２（Ｂ）は、処理選択メニュー画面Ｗ３を示す説明図である。図１２（Ａ）の状態において決定ボタンＢ１を押下すると、ＵＩ制御部３１５は、処理選択メニュー画面Ｗ３を液晶ディスプレイ３５２に表示させる。この処理選択メニュー画面Ｗ３は、画像選択メニュー画面Ｗ２で選択された画像のアイコンｆ５１と、画像種別を選択するための３つのボタンＢ１１〜Ｂ１３と、処理種別を選択するための３つのボタンＢ１〜Ｂ３とを備えている。３つのボタンＢ１１〜Ｂ１３は、処理選択メニュー画面Ｗ３に表示されたアイコンに関連する画像（ページ画像，読み取り画像，合成画像）のうち、処理対象とする画像を選択するための画像である。３つのボタンＢ４〜Ｂ６は、処理対象とする画像について、どのような処理（投写，画面表示，印刷）を行うかを選択するためのボタンである。具体的には、ボタンＢ４は、処理対象の画像を投写させるためのボタンである。また、ボタンＢ５は投写対象の画像を液晶ディスプレイ３５２に表示させるためのボタンであり、ボタンＢ６は投写対象の画像をプリンタ（図示省略）で印刷させるためのボタンである。
【００７８】
図１２（Ｂ）の例では、アイコンｆ５１に関連する画像のうち、読み取り画像（ボタンＢ１２）が選択され、投写ボタンＢ４が選択されている。したがって、コンテンツ格納部３４２（図８）から読み取り画像ｆ１１（図１０）の画像データが読み出されて、ＲＡＭ３４０に書き込まれ、スクリーンＳｃに投写される。なお、前述の処理選択メニュー画面Ｗ３は、請求項におけるユーザインタフェースに相当する。
【００７９】
以上説明したように、第２の実施例の画像投写システムも第１の実施例の５００と同様な効果を有する。また、第２の実施例の画像投写システムでは、プレゼンテーションファイルの各ページの画像と、読み取り画像と、合成画像とを互いに対応付けて記憶するので、各ページの画像をインデックスとして、読み取り画像や合成画像を選択して、投写や画面表示や印刷を実行できる。また、第２の実施例の画像投写システムでは、手書き情報を読み取った後にイレーザ５５によって消去するので被投写面（画像投写エリア）として２面あれば足り、スクリーン装置１０の小型化が可能となる。或いは、スクリーンＳｃ上において投写エリアを広く確保することができる。
【００８０】
Ｃ．変形例：
なお、上記各実施例における構成要素の中の、独立クレームでクレームされた要素以外の要素は、付加的な要素であり、適宜省略可能である。また、この発明は上記の実施例や実施形態に限られるものではなく、その要旨を逸脱しない範囲において種々の態様において実施することが可能であり、例えば次のような変形も可能である。
【００８１】
Ｃ１．変形例１：
上述した各実施例では、スクリーンＳｃの１回あたりのスクロール量は、アプリケーションウィンドウＷ１における１ページに対応する長さ（第１の実施例では１／４周、第２の実施例では１／２周）を単位とするものであったが、本発明は、これに限定されるものではない。例えば、パーソナルコンピュータ３００，３００ａにおいて実行されるアプリケーションがワードプロセッサ用アプリケーションであれば、ページ単位のスクロール以外にも、行単位など１ページよりも少ない単位でのスクロール等も行い得る。この場合、例えば、以下の構成により実現することができる。パーソナルコンピュータ３００，３００ａからプロジェクタ１００に対して、アプリケーションウィンドウＷ１におけるスクロール量として、画素単位の移動量を送信する。そして、プロジェクタ１００において投写制御部３３は、この画素単位の移動量に応じたスクリーンＳｃのスクロール量を指定してスクロール指示を駆動制御部５４に送信する。なお、画素単位の移動量に応じたスクリーンＳｃのスクロール量は、例えば、以下のようにして決定する。まず、プロジェクタ１００において、投写制御部３３は、パーソナルコンピュータ３００，３００ａから送信される画素単位の移動量を、画像処理部３８による解像度変換後の画像サイズにおける画素単位の移動量（以下「変換後の移動量」と呼ぶ）に変換する。この変換は、例えば、変換前後の画素単位の移動量を対応付けたテーブルを参照して実現することができる。なお、パーソナルコンピュータ３００，３００ａの解像度と、液晶パネル４３の解像度とは予め固定されているので、変換前後の画素単位の移動量を予め対応付けることができる。そして、投写制御部３３は、変換後の移動量をスクリーンＳｃのスクロール量に変換することにより、駆動制御部５４に指定するスクロール量を決定する。このスクリーンＳｃのスクロール量の変換は、例えば、変換後の移動量とスクリーンＳｃのスクロール量とを対応付けたテーブルを参照して実現することができる。なお、液晶パネル４３の解像度と、スクリーンＳｃ上における投写画像サイズとが予め固定されているので、変換後の移動量とスクリーンＳｃのスクロール量とを予め対応付けることができる。
【００８２】
また、上述したようにアプリケーションウィンドウＷ１におけるスクロール量に対応した量だけスクリーンＳｃをスクロールすることに代えて、アプリケーションウィンドウＷ１におけるスクロール量に関わらず、常に同じ量だけスクリーンＳｃをスクロールすることもできる。例えば、第２の実施例において、アプリケーションウィンドウＷ１におけるスクロール量（ページ数）に関わらず、スクリーンＳｃを１／２周分スクロールする構成とすることもできる。このような構成においても、スクリーンＳｃに書き込まれた手書き情報が、スクリーンＳｃにおける投写画像の表示を邪魔しないようにすることができる。すなわち、一般には、クライアントのアプリケーションウィンドウにおけるスクロールに対応してスクリーン（被投写面）をスクロールするスクリーン装置を、本発明の画像投写システムにおいて採用することができる。
【００８３】
Ｃ２．変形例２：
上述した第２の実施例では、読み取り部５６が読み取った画像をそのまま読み取り画像として、パーソナルコンピュータ３００ａのＲＡＭ３４０に保存していたが、これに代えて、読み取り画像のうち、手書き情報部分のみを抽出して読み取り画像として保存することもできる。手書き情報の抽出は、例えば、読み取った画像データからペンの色（例えば黒色）を示す画素（ブロック）を抽出することにより実行可能である。すなわち、一般には、手書き情報を読み取って画像を得ることが可能な任意の読み取り機構を、本発明の画像投写システムにおける読み取り機構として採用することができる。なお、この構成においては、手書き情報の抽出を行う機能部が請求項における手書き情報画像取得部に相当する。
【００８４】
Ｃ３．変形例３：
上述した第２の実施例では、スクリーンＳｃに書き込まれた手書き情報が黒色であれば、読み取り画像及び合成画像における手書き情報部分の色は黒色であったが、これに代えて、手書き情報部分の色を変更することもできる。例えば、投写する画像が暗い画像や黒色の画像である場合、スクリーンＳｃに投写された画像に黒色のペンで手書き情報を書き込むと、手書き情報部分が分かりづらくなる。そこで、この場合、手書き情報部分の色を明るい色（例えば、白色や、明るい黄色など）に変更する。このようにすることで、合成画像を投写する際に手書き情報部分をはっきりと識別することができる。このように手書き情報の色を変化させるためには、例えば、以下のような構成を採用することができる。パーソナルコンピュータ３００ａにおいて、読み取り部５６で読み取った画像データから手書き情報部分を抽出する。また、パーソナルコンピュータ３００ａにおいて、読み取った画像に対応付けられる投写画像（プレゼンテーションファイルにおけるページ画像）の平均色を求める。この平均色の決定は、例えば、ページ画像の各画素のＲ，Ｇ，Ｂについて平均値を求めることにより実行する。そして、パーソナルコンピュータ３００ａにおいて、手書き情報部分の色を、求めた平均色の補色に変更して、取り込み画像データとして上書き保存する。例えば、平均色が緑色であったら、手書き情報部分を赤色に変更して保存する。また、ステップＳ１２５（図９）において、手書き情報部分の色を変更した後の取り込み画像と、投射画像とに基づき合成画像を生成する。前述のように手書き情報部分の色を投写画像の平均色の補色とするのは、合成画像における手書き情報部分をより強調するためである。なお、ページ画像のうち、手書き情報を含む一部の領域について平均色を求めて、かかる平均色の補色としてもよい。すなわち、一般には、投写画像（コンテンツ）を特徴付ける特徴色の補色を、手書き情報部分の色とする任意の構成を本発明の画像投写システムにおいて採用することができる。
【００８５】
また、上述した投写画像の特徴色の補色に代えて、投写画像の平均色と似た色に、手書き情報部分の色を変更することもできる。この場合には、手書き情報部分を目立たなくすることができる。すなわち、一般には、手書き情報部分の色を投写コンテンツの色に応じて調整する任意の構成を、本発明の画像投写システムにおいて採用することができる。
【００８６】
Ｃ４．変形例４：
上述した第４の実施例では、投射した画像（コンテンツ）に対応付けて管理する画像は、読み取り画像と合成画像とであったが、これらに加えて、装飾用画像を管理することもできる。装飾用画像としては、例えば、投写画像の周りを囲むための装飾用枠画像（スキン）や、投写画像上において所定の間隔で罫線を表示するための画像等を採用することができる。また、第２の実施例では、パーソナルコンピュータ３００ａでは、読み取り画像を受信した場合に合成画像を生成して保存するようにしていたが、これに代えて、合成画像を保存しておかず、投写する際に投写画像（コンテンツ）と読み取り画像とから合成画像を生成して投写するようにしてもよい。
【００８７】
Ｃ５．変形例５：
上述した第１の実施例では、被投写面の数は４であったが、これに代えて、任意の数とすることもできる。なお、被投写面の数を５以上とする場合には、投写画像のサイズをより小さくする、又はスクリーンＳｃのサイズを大型化することを要する。この場合、プレゼンテーションファイル３２２のページ数を、上述した第１の実施例における上限値（４ページ）よりも多くのページ数とすることができる。また、被投写面の数を第２の実施例と同様に「２」とすることもできる。この場合、第２の実施例と同様に、イレーザを配置して、スクロールするたびにスクリーンＳｃに書き込まれた手書き情報を消去することが好ましい。
【００８８】
Ｃ６．変形例６：
上述した各実施例では、クライアントとして機能する装置は、パーソナルコンピュータ３００，３００ａであったが、パーソナルコンピュータ３００，３００ａに代えて、プロジェクタ１００がクライアント機能を備える構成とすることもできる。具体的には、プロジェクタ１００において、各機能部３１１〜３１５やプレゼンテーションファイルを作成する機能部（ファイル作成部）を備えるように構成する。そして、ユーザがＵＳＢメモリ等の記憶媒体を用いてプロジェクタ１００に画像データを記憶させると、プロジェクタ１００において、ファイル作成部はプレゼンテーションファイルを作成し、投写画像制御部３１２は投写制御部３３を介して画像を投写する。このような構成においても、投写画像が切り替わるたびにスクリーンＳｃをスクロールするように構成することで、スクリーンＳｃに書き込まれた手書き情報が投写画像の邪魔になることを抑制することができる。なお、かかる構成においては、プロジェクタにおける投写画像制御部３１２に相当する機能部は、請求項における手書き情報取得部及び合成画像生成部に相当する。すなわち、一般には、クライアント機能を任意の装置が備える構成を、本発明の画像投写システムにおいて採用することができる。
【００８９】
Ｃ７．変形例７：
上述した第１の実施例では、パーソナルコンピュータ３００とスクリーン装置１０との間で直接データの送受信はなされていなかったが、これに代えて、これらの装置間で直接データの送受信を行うようにすることもできる。具体的には、スクリーン装置１０に無線ＬＡＮ通信を行うための機能部を備えるようにする。そして、パーソナルコンピュータ３００は、スクリーン装置１０に対してスクロール量を直接送信する。スクリーン装置１０では、受信したスクロール量に応じて予め設定された量だけスクリーンＳｃをスクロールさせるようにすればよい。また、第２の実施例では、スクロール量の通知に加えて、取り込み画像の画像データもスクリーン装置１０ａとパーソナルコンピュータ３００ａとの間で直接送受信するように構成することもできる。
【００９０】
Ｃ８．変形例８：
上述した第２の実施例では、投写画像，読み取り画像，及び合成画像の保存先は、パーソナルコンピュータ３００ａが備えるＲＡＭ３４０（コンテンツ格納部３４２）であったが、これに代えて又はこれに加えて、他の記憶装置に保存することもできる。例えば、プロジェクタ１００のＲＡＭ３４（図７）を保存先とすることもできる。また、無線ＬＡＮにＮＡＳ（Network Attached Storage）を接続し、かかるＮＡＳに保存することもできる。すなわち、一般には、投写画像と、読み取り画像と、合成画像とを互いに対応付けて記憶可能な任意の装置を、本発明の画像投写システムにおける記憶装置として採用することができる。なお、保存先としてプロジェクタ１００のＲＡＭ３４を採用する場合には、かかるＲＡＭ３４は、請求項における記憶部に相当する。
【００９１】
Ｃ９．変形例９：
上述した第２の実施例では、同じ画像について複数回投写した場合には、読み取り画像は上書き保存されていたが、これに代えて、読み取るたびに異なる画像として保存することもできる。かかる構成においては、パーソナルコンピュータ３００ａにおいて合成画像を予め生成して保存しておかず、投写指示があった場合に（該当するページへのスクロールがあった場合に）、合成画像を生成してプロジェクタ１００に送信することもできる。この場合、投写画像に対応付けられている全ての読み取り画像を合成して合成画像を生成することで、スクロールによって消去された全ての手書き情報を投写画像と共にスクリーンＳｃに投写することができる。
【００９２】
Ｃ１０．変形例１０：
上述した各実施例では、スクリーンＳｃに投写する画像は、アプリケーションウィンドウＷ１内のページ画像（コンテンツ）であったが、これに代えて、アプリケーションウィンドウＷ１の画像も合わせて投写することもできる。すなわち、一般には、クライアントにおけるアプリケーションウィンドウ内のコンテンツをスクリーンに投写する構成を、本発明の画像投写システムにおいて採用することができる。
【００９３】
Ｃ１１．変形例１１：
上述した各実施例では、プロジェクタ１００は、壁面１０１に配置されていたが、壁面１０１に代えて、天井面や床面（机上）に設置される構成とすることもできる。また、これら据え置き型のプロジェクタに代えて、ポータブルタイプのプロジェクタとすることもできる。
【００９４】
Ｃ１２．変形例１２：
上述した第２の実施例では、手書き情報Ｇ１，Ｇ２は、文字と図形とをいずれも含むものであったが、これに代えて、文字のみを含むもの、又は、図形のみを含むものとすることもできる。また、図形も線で描いた図（線画）に限らず、一定の面積をインクで塗りつぶした図形とすることもできる。
【００９５】
Ｃ１３．変形例１３：
上述した各実施例では、スクリーンＳｃは、無端状の形状であったが、有端状の形状であってもよい。例えば、巻き取り機構を上部スクリーン固定部１２及び下部スクリーン固定部１４にそれぞれ配置し、これら２つの巻き取り機構の間にスクリーンＳｃを配置して、スクリーンＳｃの２つの端辺を互いに異なる巻き取り機構に接続させる。そして、スクリーンＳｃをスクロールする際に一方の巻き取り機構がスクリーンＳｃを巻き取り、逆向きにスクロールする際には、他方の巻き取り機構がスクリーンＳｃを巻き取るようにする構成とすることもできる。すなわち、一般には、スクロール可能な任意のスクリーンを有するスクリーン装置を、本発明の画像投写システムに採用することができる。
【００９６】
Ｃ１４．変形例１４：
上述した各実施例において、ハードウェアによって実現されていた構成の一部をソフトウェアに置き換えるようにしてもよく、逆に、ソフトウェアによって実現されていた構成の一部をハードウェアに置き換えるようにしてもよい。
【図面の簡単な説明】
【００９７】
【図１】本発明の一実施例としての画像投写システムの概略構成を示す説明図。
【図２】図１に示すプロジェクタ１００及びスクリーン装置１０の詳細構成を示す説明図。
【図３】図１に示すパーソナルコンピュータ３００の内部構成を示す説明図。
【図４】図３に示すプレゼンテーションファイル３２２の内容（コンテンツ）を示す説明図。
【図５】画像投写システム５００において実行されるスクロール処理の手順を示すフローチャート。
【図６】スクロール処理を実行する際にスクリーンＳｃに投写される画像の一例を示す説明図。
【図７】第２の実施例におけるプロジェクタ１００及びスクリーン装置１０ａの詳細構成を示す説明図。
【図８】第２の実施例におけるパーソナルコンピュータ３００ａの詳細構成を示す説明図。
【図９】第２の実施例におけるスクロール処理の手順を示すフローチャート。
【図１０】コンテンツ格納部３４２における画像データの格納例を模式的に示す説明図。
【図１１】第２の実施例におけるスクロール処理を実行する際にスクリーンＳｃに投写される画像の一例を示す説明図。
【図１２】画像選択メニュー画面を示す説明図及び処理選択メニュー画面Ｗ３を示す説明図。
【符号の説明】
【００９８】
１０，１０ａ…スクリーン装置、１２，１２ａ…上部スクリーン固定部、１４…下部スクリーン固定部、２０…本体部、３２…ＣＰＵ、３３…投写制御部、３６…無線通信制御部、３７…入出力インタフェース（Ｉ／Ｆ）部、３８…画像処理部、３９…液晶パネル駆動部、４２…照明光学系、４３…液晶パネル、４４…投写光学系、４５…投写ミラー、４６…画像光射出口、５２…上部プーリ、５３…モータ、５４…駆動制御部、５５…イレーザ、５６…読み取り部、６２…下部プーリ、９５…固定部、１００…プロジェクタ、１０１…壁面、３００，３００ａ…パーソナルコンピュータ、３１０…ＣＰＵ、３１１…アプリケーション実行部、３１２…投写画像制御部、３１３…スクロール量送信部、３１４…コンテンツ管理部、３１５…ユーザインタフェース（ＵＩ）制御部、３２０…ハードディスクドライブ、３２２…プレゼンテーションファイル、３３０…入出力インタフェース部、３３２…キーボード、３４２…コンテンツ格納部、３５０…表示制御部、３５２…液晶ディスプレイ、３６０…無線通信処理部、５００…画像投写システム、Ｗ１…アプリケーションウィンドウ、ｆ１，ｆ２，ｆ３…画像、Ｇ１，Ｇ２…手書き情報、Ｂ１…決定ボタン、Ｂ２…終了ボタン、Ｂ４…投写ボタン、Ｂ５…画面表示ボタン、Ｂ６…印刷ボタン、Ｗ２…画像選択メニュー画面、Ｗ３…処理選択メニュー画面、Ｓｃ…スクリーン、Ｂｄ…ボタン、Ｂｕ…ボタン、ｆ１１，ｆ２１…取り込み画像、ｆ１２，ｆ２２…合成画像、Ｂ１１〜Ｂ１３…画像種別選択用ボタン、ｆ５１…アイコン
【図１】
2010122275.tif 000003
【図２】
2010122275.tif 000004
【図３】
2010122275.tif 000005
【図４】
2010122275.tif 000006
【図５】
2010122275.tif 000007
【図６】
2010122275.tif 000008
【図７】
2010122275.tif 000009
【図８】
2010122275.tif 000010
【図９】
2010122275.tif 000011
【図１０】
2010122275.tif 000012
【図１１】
2010122275.tif 000013
【図１２】
2010122275.tif 000014